(57)【要約】【課題】安定した封止状態を実現することが出来る、新規な構造の遊技機用基板ケースを提供することを、目的とする。【解決手段】蓋部材１４がケース本体１２に対して組み付けられた状態で、ケース側筒部２８と蓋側筒部３８のそれぞれの内部空間２７，３９が繋がった状態に位置せしめられるようにすると共に、これらケース側筒部２８と蓋側筒部３８とに跨って挿入されるスプリングピン６０を、ケース側筒部２８と蓋側筒部３８の少なくとも一方に対して嵌めて、ケース本体１２と蓋部材１４を固定した。【選択図】図１７
2007268062.tif 000002
【特許請求の範囲】
【請求項１】
制御基板を収納するためのものであって、ケース本体に対して蓋部材が組み付けられてなる遊技機用基板ケースにおいて、
前記ケース本体の外周縁部に本体側筒部が一体形成されていると共に、前記蓋部材の外周縁部には該ケース本体の該本体側筒部に対応する位置に蓋側筒部が一体形成されており、該蓋部材が該ケース本体に対して組み付けられた状態で、該本体側筒部と該蓋側筒部のそれぞれの内部空間が繋がった状態となるように位置せしめる一方、該本体側筒部と該蓋側筒部とに跨って挿入されるスプリングピンを該本体側筒部と該蓋側筒部の少なくとも一方に対して嵌めて、該ケース本体と該蓋部材とを固定するようにしたことを特徴とする遊技機用基板ケース。
【請求項２】
板状片の中央部分から板厚方向一方に突出する挿入突起が前記スプリングピンの一端側に挿入固定されており、該挿入突起が挿入固定された端部とは反対側の端部から該スプリングピンが前記本体側筒部と前記蓋側筒部とに跨って挿入されて、該スプリングピンを該本体側筒部と該蓋側筒部の少なくとも一方に対して嵌めて、該ケース本体と該蓋部材とを固定した状態で、該板状片が、該スプリングピンの挿入側に位置する該本体側筒部と該蓋側筒部の何れか一方に対して、該スプリングピンの挿入向とは反対側に係止されるようにした請求項１に記載の遊技機用基板ケース。
【発明の詳細な説明】
【技術分野】
【０００１】
本発明は、ケース本体と蓋部材を組み合わせることによって、制御基板を収容する収容空間が形成される遊技機用基板ケースに関するものである。
【背景技術】
【０００２】
従来から、この種の基板ケースには、その内部に収容されている制御基板への不正行為を防止する観点から、様々な対策が施されている。具体的には、例えば、特許文献１に記載されているように、ケース本体とそれに組み付けられる蓋部材のそれぞれに円筒部材を設けて、これらの円筒部材に中実ピンを挿入することにより、ケース本体と蓋部材の相対変位（基板ケースを開ける方向への変位）を阻止して、収容されている制御基板への不正行為を阻止するようにした基板ケースが知られている。
【０００３】
ところで、上述の如き基板ケースを構成するケース本体や蓋部材は、収容される制御基板への不正行為を外部から容易に確認できるように、ポリカーボネート（ＰＣ）等の透明な合成樹脂材料によって形成されているのが一般的である。
【０００４】
そうすると、ケース本体と蓋部材のそれぞれに設けられる円筒部材というのは、ケース本体や蓋部材と同じ合成樹脂材料で、ケース本体や蓋部材に対して一体的に形成することが、生産効率を向上させる等の観点から望ましい。
【０００５】
しかしながら、円筒部材を合成樹脂材料によって形成すると、成形時に寸法誤差が生じてしまうおそれがある。
【０００６】
加えて、基板ケースの周辺温度によっては、ケース本体と蓋部材のそれぞれに設けられた円筒部材の軸直角方向での断面が変形してしまうおそれがある。
【０００７】
その結果、ケース本体と蓋部材のそれぞれに設けられた円筒部材に中実ピンを挿し込むことが困難になって、少なくとも一方の円筒部材への中実ピンの圧入状態を得ることが難しくなるおそれや、中実ピンを無理矢理挿し込むことによって円筒部材が破損するおそれがあったり、両円筒部材に中実ピンを挿し込むことは出来るが、挿し込んだ中実ピンが容易に抜けたりするおそれがあったり、両方の円筒部材の少なくとも一方に対して圧入されていた中実ピンが、基板ケースの周辺温度の変化によって、圧入されていた円筒部材から抜け易くなるおそれがあったりして、基板ケースの安定した封止状態を有利に得ることが難しいという問題があった。
【０００８】
【特許文献１】特開２００５−３４２１９３号公報
【発明の開示】
【発明が解決しようとする課題】
【０００９】
ここにおいて、本発明は、上述の如き事情を背景として為されたものであって、その解決課題とするところは、安定した封止状態を実現することが出来る、新規な構造の遊技機用基板ケースを提供することにある。
【課題を解決するための手段】
【００１０】
以下、このような課題を解決するために為された本発明の態様を記載する。なお、以下に記載の各態様において採用される構成要素は、可能な限り任意の組み合わせで採用可能である。
【００１１】
本発明は、制御基板を収納するためのものであって、ケース本体に対して蓋部材が組み付けられてなる遊技機用基板ケースにおいて、蓋部材がケース本体に対して組み付けられた状態で、ケース本体の外周縁部に一体形成された本体側筒部と、蓋部材の外周縁部においてケース本体の本体側筒部に対応する位置に一体形成された蓋側筒部とのそれぞれの内部空間が繋がった状態となるように位置せしめる一方、本体側筒部と蓋側筒部とに跨って挿入されるスプリングピンを本体側筒部と蓋側筒部の少なくとも一方に対して嵌めて、ケース本体と蓋部材とを固定するようにしたことを、特徴とする。
【００１２】
このような本発明に従う構造とされた遊技機用基板ケースにおいては、蓋部材がケース本体に対して組み付けられた状態で、それぞれの内部空間が繋がった状態となるように位置せしめられる本体側筒部と蓋側筒部とに跨って挿入されるスプリングピンが、本体側筒部と蓋側筒部の少なくとも一方に対して嵌められることにより、ケース本体と蓋部材が固定されるようになっている。
【００１３】
そこにおいて、スプリングピンが本体側筒部と蓋側筒部の少なくとも一方に対して嵌められた状態では、スプリングピンに対して、軸直角方向内方への外力、即ち、スプリングピンを締める方向への外力が及ぼされて、スプリングピンの軸直角方向での断面形状が変形せしめられる。これにより、スプリングピンの元の形状に戻ろうとする力（復元力）が、スプリングピンが嵌められている筒部に及ぼされて、スプリングピンの外周面とかかるスプリングピンが嵌められている筒部との間に生ぜしめられる摩擦力を有利に確保することが可能となる。即ち、本発明では、スプリングピンそのものが有する軸直角方向へのばね作用を利用して、スプリングピンの外周面とかかるスプリングピンが嵌められている筒部との間に生ぜしめられる摩擦力を有利に確保することが可能となるのである。その結果、本体側筒部や蓋側筒部に成形時の寸法誤差があったり、遊技機用基板ケースの周辺温度が変化した場合であっても、スプリングピンの軸方向での変位、即ち、スプリングピンが嵌められている筒部から抜ける方向への変位を有利に阻止することが可能となり、スプリングピンが本体側筒部と蓋側筒部の少なくとも一方に対して嵌められた状態の安定化を図ることが可能となる。
【００１４】
従って、本発明の遊技機用基板ケースにおいては、安定した封止状態を有利に実現することが可能となる。
【００１５】
なお、本発明において、ケース本体や蓋部材の形成材料は、特に限定されるものではないが、例えば、ポリカーボネート（ＰＣ）等の透明な合成樹脂材によって形成されていることが望ましい。これにより、遊技機用基板ケースに収容された制御基板を外部から視認することが容易に可能となる。
【００１６】
また、本発明において、本体側筒部や蓋側筒部の数は、それぞれ、一つであっても良いし、複数であっても良い。更にまた、本発明において、「本体側筒部と蓋側筒部のそれぞれの内部空間が繋がった状態」とは、スプリングピンが本体側筒部と蓋側筒部に跨って挿入され得る状態であることをいう。その際、本体側筒部と蓋側筒部は重なっていても良いし、適当な隙間をあけて離隔位置せしめられていても良い。
【００１７】
更に、本発明において、本体側筒部や蓋側筒部の軸直角方向での断面形状は、特に限定されることはなく、例えば、円形や楕円形，多角形，更には、それらの歪んだ形状等、各種の断面形状が採用され得るが、スプリングピンの軸直角方向での断面の外形と対応していることが望ましい。これにより、スプリングピンの外周面と筒部の内周面との接触面積を有利に確保することが可能となる。その結果、スプリングピンの外周面とかかるスプリングピンが嵌められている筒部の内周面との間に発生する摩擦力を有利に確保することが可能となり、スプリングピンの軸方向の変位を有利に阻止することが可能となる。
【００１８】
更にまた、本発明において、本体側筒部や蓋側筒部の軸直角方向での断面の大きさや形状等は、筒部の軸方向において一定である必要はなく、例えば、軸方向の一端側と他端側で断面の大きさや形状等が異なっていても良い。
【００１９】
また、本発明におけるスプリングピンは、軸直角方向へのばね作用を生ぜしめる形状であれば、特に限定されることはなく、例えば、スプリングピンの周方向の一部において軸方向の全長に亘って切り込みが形成された形状や、周壁が周方向で連続する筒形状とされており、その軸直角方向での断面形状が各頂部に丸みを有する多角形とされている形状，更には、周壁の軸直角方向での断面形状が渦巻き状とされており、周壁の少なくとも一部が軸直角方向で重なっている形状等が採用される。そこにおいて、スプリングピンの周方向の一部において軸方向の全長に亘って切り込みが形成されている場合には、その切り込みは、スプリングピンの軸方向に沿ってストレートに延びている必要はなく、例えば、軸方向に対して傾斜する方向に延びていても良いし、蛇行するように延びていても良い。
【００２０】
さらに、本発明において、スプリングピンの軸直角方向での断面の外形は、スプリングピンの軸直角方向へのばね作用を生ぜしめる形状であれば、特に限定されることはなく、例えば、略円形や略楕円形，略多角形、更には、それらの歪んだもの等が採用される。
【００２１】
更にまた、本発明において、スプリングピンの周壁の厚さ寸法は、周方向で一定であっても良いし、異なっていても良い。そこにおいて、周方向の一部において軸方向の全長に亘って切り込みが形成されているスプリングピンの場合、その周壁の厚さ寸法は、切り込みに対して軸直角方向で対向位置する部分が最も大きくされている一方、その部分から切り込みへと周方向に沿って行くに従って次第に厚さ寸法が小さくされていることが望ましい。これにより、スプリングピンが筒部に嵌められた状態で筒部に発生する応力が周方向に均等とされる。その結果、スプリングピンが筒部へ嵌められた状態で、スプリングピンの外周面を筒部の内周面に対して全周に亘って密着させることが可能となり、スプリングピンの抜け方向への変位を一層有利に阻止することが可能となる。
【００２２】
更にまた、本発明において、スプリングピンが、周方向の一部において軸方向の全長に亘って切り込みが形成されている形状や、周壁の軸直角方向での断面形状が渦巻き状とされており、周壁の少なくとも一部が軸直角方向で重なっている形状等である場合には、例えば、管に対して軸方向の全長に亘って切り込みを形成する方法や、板材を丸める方法等によって、目的とするスプリングピンが有利に形成される。また、本発明において、スプリングピンが、周壁が周方向で連続とされており、その軸直角方向での断面形状が各頂部に丸みを有する多角形とされている形状である場合には、例えば、引き抜き若しくは押出し成形することによって、目的とするスプリングピンが有利に形成される。
【００２３】
また、本発明において、スプリングピンの形成材料は、軸直角方向へのばね作用を有利に得ることが出来る材料であれば、特に限定されることなく、例えば、鉄鋼やばね鋼，ばね用ステンレス鋼等が採用可能である。
【００２４】
また、本発明においては、板状片の中央部分から板厚方向一方に突出する挿入突起がスプリングピンの一端側に挿入固定されており、かかる挿入突起が挿入固定されたほうの端部とは反対側の端部からスプリングピンが本体側筒部と蓋側筒部とに跨って挿入されて、スプリングピンを本体側筒部と蓋側筒部の少なくとも一方に対して嵌めて、ケース本体と蓋部材を固定した状態で、板状片が、スプリングピンの挿入側に位置する本体側筒部と蓋側筒部の何れか一方に対して、スプリングピンの挿入方向とは反対側に係止されるようにすることが望ましい。これにより、スプリングピンの挿入方向とは反対の方向への変位が、スプリングピンの挿入側に位置する本体側筒部と蓋側筒部の何れか一方に対して板状片が係止されることで、阻止されることとなる。その結果、スプリングピンが本体側筒部と蓋側筒部の少なくとも一方に対して嵌められた状態の更なる安定化を図ることが可能となり、遊技機用基板ケースの封止状態を一層有利に実現することが可能となる。
【００２５】
そこにおいて、本発明では、スプリングピンの挿入側に位置する本体側筒部と蓋側筒部の何れか一方に対して板状片が係止される係止状態は、筒部の内周面の形成された段差に係止片が係止されることで実現されるようになっていても良いし、筒部において軸直角方向に開口形成された開口穴に係止片が嵌め込まれて、かかる開口穴の内周面に係止片が係止されることで実現されるようになっていても良い。
【発明を実施するための最良の形態】
【００２６】
以下、本発明を更に具体的に明らかにするために、本発明の実施形態について、図面を参照しつつ、詳細に説明する。
【００２７】
先ず、図１には、本発明の一実施形態としての遊技機用基板ケース１０が示されている。この遊技機用基板ケース１０は、ケース本体１２に対して蓋部材１４が組み付けられた構造とされており、その内部に制御基板１６を収容した状態で、遊技機の裏側の適当な位置に取り付けられるようになっている。
【００２８】
より詳細には、ケース本体１２は、ポリカーボネート（ＰＣ）等の透明な硬質の合成樹脂材料によって形成されており、図２乃至４に示されているように、全体として、底板１８の外周縁部に沿って全周に亘って延びる周壁２０が立設されて、上側に開口する開口部２２が形成された構造とされている。
【００２９】
そこにおいて、本実施形態では、ケース本体１２の長手方向（図２における左右方向）で対向位置せしめられた一対の長手方向対向壁部２４，２４のそれぞれに対して、上方に開口して長手方向対向壁部２４の長手方向（ケース本体１２の幅方向、即ち、図２における上下方向）に延びるガイド溝２６が形成されている。
【００３０】
また、ケース本体１２の幅方向一方（図２における下方）の側壁部には、複数（本実施形態では、八つ）の本体側筒部２８が一体形成されている。特に、本実施形態では、これら八つの本体側筒部２８は、ケース本体１２の長手方向中央を挟んで、長手方向一方の側と他方の側に、四つずつまとめて設けられている。
【００３１】
また、本実施形態では、各本体側筒部２８は有底円筒形状とされており、その周壁部分が、ケース本体１２の幅方向一方の側壁部に対して、取付片３０によって取り付けられている。これにより、各本体側筒部２８がケース本体１２の外周縁部としての周壁２０に対して一体形成されているのである。
【００３２】
そこにおいて、本実施形態では、各本体側筒部２８の開口方向（中心軸線が延びる方向）は、ケース本体１２の開口部２２の開口方向（底板１８に対して略直交する方向）に対して略平行とされている。
【００３３】
また、本実施形態では，各本体側筒部２８の上方において、Ｕ字断面で本体側筒部２８の開口方向（軸方向）に延びる下段収容部３２が一体形成されている。そして、下段収容部３２の底壁に形成された連通孔によって、下段収容部３２と本体側筒部２８が連通せしめられている。
【００３４】
更にまた、本実施形態では、各下段収容部３２の上方において、コ字状断面で本体側筒部２８の開口方向（軸方向）に延びる上段収容部３４が一体形成されている。そして、上段収容部３４の底壁に形成された切欠によって、上段収容部３４と下段収容部３２が連通せしめられている。なお、本実施形態では、隣り合う二つの上段収容部３４は、隣り合う方向に位置する側壁部（ケース本体１２の幅方向に延びる側壁部）を共有している。
【００３５】
このような構造とされたケース本体１２に組み付けられる蓋部材１４は、ケース本体１２と同様に、ポリカーボネート（ＰＣ）等の透明な硬質の合成樹脂材料によって形成されており、図５乃至７に示されているように、全体として、天板３６の外周縁部に沿って延びる周壁３７が立設されて、下側に開口する開口部が形成された構造とされている。なお、本実施形態の天板３６は、その幅方向（図５中の上下方向）中間部分において傾斜部分が設けられており、それによって、幅方向の両端において天板３６から開口端までの距離が異ならされている。
【００３６】
また、蓋部材１４の幅方向一方の側壁部には、複数（本実施形態では、八つ）の蓋側筒部３８が一体形成されている。特に、本実施形態では、これら八つの蓋側筒部３８は、蓋部材１４の長手方向中央を挟んで、長手方向一方の側と他方の側に、四つずつまとめて設けられている。
【００３７】
そこにおいて、本実施形態では、各蓋側筒部３８は、矩形断面で開口する枠体乃至は筒体形状とされた上側収容部４０の底壁に対して略一定の断面でストレートに延びる円筒形状とされた下側収容部４２が同一中心軸線上で軸方向下方に突設された構造とされており、これら上側収容部４０と下側収容部４２は、上側収容部４０の底壁に形成された連通孔を通じて、相互に連通せしめられている。
【００３８】
特に、本実施形態では、各蓋側筒部３８の開口方向（中心軸線が延びる方向）、即ち、上側収容部４０と下側収容部４２の開口方向（中心軸線が延びる方向）が、蓋部材１４の開口方向（天板３６に略直交する方向）に対して略平行とされている。
【００３９】
このような構造とされた蓋側筒部３８は、上側収容部４０が一対の取付片４４，４４によって蓋部材１４における幅方向一方の側壁部に取り付けられている。これにより、各蓋側筒部３８が蓋部材１４の外周縁部としての周壁３７に対して一体形成されているのである。
【００４０】
続いて、上述の如き構造とされた蓋部材１４を、ケース本体１２に対して組み付ける方法について、説明する。先ず、蓋部材１４の長手方向（図５における左右方向）で対向位置せしめられる一対の長手方向対向壁部４６，４６を、ケース本体１２の長手方向両端に形成された一対のガイド溝２６，２６に嵌め入れる。その際、図８に示されているように、ケース本体１２における各ガイド溝２６内に設けられた係止片４８，４８は、蓋部材１４における各長手方向対向壁部４６に形成された係止用切欠５０，５０内に収容位置せしめられるようになっている。なお、本実施形態の係止片４８，４８は、それぞれ、各ガイド溝２６の側壁部分に対して一体的に設けられている。
【００４１】
そこにおいて、本実施形態では、上述の如く、蓋部材１４における一対の長手方向対向壁部４６，４６がケース本体１２における一対のガイド溝２６，２６に嵌め入れられた状態で、ケース本体１２の底板１８と蓋部材１４における天板３６は、天板３６における傾斜部分を除いて略平行とされている。
【００４２】
また、図面上では明示されていないが、本実施形態では、上述の如く、ケース本体１２に設けられたガイド溝２６，２６に対して蓋部材１４における長手方向対向壁部４６，４６を嵌め入れる前において、制御基板１６は、そこに実装されているコネクタ５２が蓋部材１４に形成された窓５４から外部に突出した状態で、蓋部材１４に対してネジ止めされるようになっている。なお、制御基板１６は、所定の検査機関による検査の対象となる制御基板（具体的には、例えば、遊技機の作動を全体的に制御する主制御基板や、かかる主制御基板からの制御信号に基づいて賞媒体の払い出しを制御する払出制御基板）等である。
【００４３】
このような状態から係止片４８，４８が係止用切欠５０，５０に係止される方向（ケース本体１２の開口部２２を蓋部材１４で覆蓋する方向、即ち、蓋を閉める方向））へと蓋部材１４をケース本体１２に対してスライド変位（本実施形態では、底板１８に対して天板３６を平行移動させるようなスライド変位）せしめることにより、図９に示されているように、係止片４８，４８が係止用切欠５０，５０に係止されるようになっている。これにより、ケース本体１２に対して蓋部材１４が組み付けられた状態となって、図１に示されているように、ケース本体１２の開口部２２が蓋部材１４で覆蓋されることとなる。その結果、蓋部材１４にネジ止めされた制御基板１６が開口部２２を通じてケース本体１２に入れられることとなる。
【００４４】
なお、本実施形態では、上述の如く、ケース本体１２の開口部２２が蓋部材１４で覆蓋された状態で、図１に示されているように、ケース本体１２の幅方向他方の側壁部に形成された突起５６が、蓋部材１４における幅方向他方の側壁部に形成された挿通孔５８に嵌め入れられるようになっている。
【００４５】
また、上述の如く、蓋部材１４をケース本体１２に対してスライド変位せしめることにより、図１０に示されているように、蓋側筒部３８における下側収容部４２が本体側筒部２８の上方に設けられた下段収容部３２内に位置せしめられると共に、蓋側筒部３８における上側収容部４０が下段収容部３２の上方に形成された上段収容部３４内に位置せしめられるようになっている。これにより、蓋側筒部３８と本体側筒部２８が、ケース本体１２に対して蓋部材１４が組み付けられた状態で、同一中心軸線上に位置せしめられるようになっている。即ち、蓋部材１４において本体側筒部２８に対応する位置に蓋側筒部３８が設けられているのである。そして、上述の如く、蓋側筒部３８と本体側筒部２８が同一中心軸線上に位置せしめられることにより、蓋側筒部３８の内部空間３９と本体側筒部２８の内部空間２７が後述するスプリングピン６０の挿入を許容する位置にあることとなる。このことから明らかなように、本実施形態では、ケース本体１２に対して蓋部材１４が組み付けられた状態で、蓋側筒部３８と本体側筒部２８が同一中心軸線上に位置せしめられることにより、蓋側筒部３８の内部空間３９と本体側筒部２８の内部空間２７が繋がった状態とされているのである。なお、本実施形態では、上述の如く、蓋側筒部３８と本体側筒部２８が同一中心軸線上に位置せしめられた状態で、蓋側筒部３８における下側収容部４２の下端面と本体側筒部２８に一体形成された下段収容部３２の上面との間には、隙間が形成されている。
【００４６】
また、本実施形態では、底板１８に対して天板３６が平行移動するようにして、蓋部材１４がケース本体１２に対してスライド変位せしめられることにより、蓋部材１４がケース本体１２に対して脱着されるようになっていることから、蓋部材１４がケース本体１２に対して組み付けられた状態で、蓋側筒部３８と本体側筒部２８の並ぶ方向（これら蓋側筒部３８と本体側筒部２８に共通の中心軸線が延びる方向）が、蓋部材１４のケース本体１２に対するスライド方向に略直交しているのである。
【００４７】
そして、上述の如く、同一中心軸上に位置せしめられた本体側筒部２８と蓋側筒部３８に対して、スプリングピン６０が嵌め入れられるようになっている。そこにおいて、本実施形態のスプリングピン６０は、鉄鋼やばね鋼，ばね用ステンレス鋼等で形成されており、図１１及び図１２に示されているように、周方向の一部において軸方向に蛇行しながら延びる切り込み６２が形成された筒形状とされている。なお、このようなスプリングピン６０は、例えば、長手方向両端が鋸歯状に形成された板材を適当な機械や工具を用いて丸めること等によって、有利に形成される。また、本実施形態のスプリングピン６０は、その軸方向両端の外側角部に対して、全周に亘って角取りが施されており、それによって、軸方向両端の何れの側からであっても、スプリングピン６０の本体側筒部２８と蓋側筒部３８への挿し込みが有利に行われるようになっている。
【００４８】
また、本実施形態では、このようなスプリングピン６０に対して組付ピン６４が取り付けられている。この組付ピン６４は、ＡＢＳ等の合成樹脂材によって形成されており、図１３及び図１４に示されているように、全体として矩形平板形状とされた板状片６６の中央部分から厚さ方向一方の側に突出する挿入突起としての挿入軸６８が一体形成された構造とされている。なお、本実施形態では、板状片６６の長手方向両端の下側角部に対して板状片６６の幅方向全長に亘って角取りが施されている。これにより、後述する板状片６６の上側収容部４０内における上側開口から底壁への移動を有利に行うことが可能となる。
【００４９】
このような構造とされた組付ピン６４は、図１５に示されているように、スプリングピン６０の軸方向一方の端から挿入軸６８が挿し込まれて固定されることにより、スプリングピン６０に対して組み付けられている。そこにおいて、図面上では明示されていないが、本実施形態では、このようにして、スプリングピン６０に組付ピン６４が組み付けられた状態で、スプリングピン６０の軸方向上方（組付ピン６４が組み付けられた側）から見ると、組付ピン６４における板状片６６によって、スプリングピン６０が覆い隠されるようになっている。
【００５０】
そして、上述の如く、組付ピン６４が組み付けられたスプリングピン６０は、図１６に示されているように、組付ピン６４が取り付けられていない軸方向他方の端部側から蓋側筒部３８に挿入されるようになっている。
【００５１】
これにより、スプリングピン６０における下側収容部４２に嵌め入れられている部分に対して、スプリングピン６０を締める力が作用することとなる。その結果、スプリングピン６０が元の形状に戻ろうとする力（復元力）が下側収容部４２に作用することとなる。
【００５２】
そして、上述の如きスプリングピン６０による復元力が下側収容部４２に作用することによって、スプリングピン６０の外周面が下側収容部４２の内周面に押し当てられることとなる。その結果、スプリングピン６０の外周面と下側収容部４２の内周面との間にスプリングピン６０の変位を阻止する方向に摩擦力が発生することとなる。
【００５３】
そして、上述の如く、スプリングピン６０が下側収容部４２に挿入された状態からスプリングピン６０を摩擦力に抗して更に挿入することにより、図１７に示されているように、スプリングピン６０が蓋側筒部３８と本体側筒部２８とに跨って挿入された状態となる。
【００５４】
そこにおいて、本実施形態では、上述の如く、スプリングピン６０が蓋側筒部３８と本体側筒部２８とに跨って挿入された状態で、スプリングピン６０における下側収容部４２に嵌め入れられている部分だけに対して、スプリングピン６０を締める力が作用するようになっている。即ち、本実施形態では、スプリングピン６０の軸方向変位を阻止する摩擦力が、スプリングピン６０における下側収容部４２に嵌め入れられている部分のみに及ぼされるようになっているのであり、その結果、本実施形態では、スプリングピン６０は蓋側筒部３８（下側収容部４２）のみに対して嵌められているのである。
【００５５】
また、本実施形態では、上述の如く、スプリングピン６０が蓋側筒部３８と本体側筒部２８とに跨って挿入されていると共に、スプリングピン６０が蓋側筒部３８に嵌められて固定された状態で、スプリングピン６０の軸方向一方の端部は蓋側筒部３８内に位置せしめられていると共に、スプリングピン６０の軸方向他方の端部は本体側筒部２８内に位置せしめられている。
【００５６】
なお、図面上では明示されていないが、本実施形態では、四つで一つのグループとされた本体側筒部２８と蓋側筒部３８の組み合わせのうち、何れか一つの組み合わせにおいて、図１７に示されているように、スプリングピン６０が本体側筒部２８と蓋側筒部３８とに跨って挿入されている。
【００５７】
更にまた、本実施形態では、図１６に示されている状態から更にスプリングピン６０を嵌め入れる際において、スプリングピン６０に固定された組付ピン６４における板状片６６の長手方向両端が、上側収容部４０における長手方向（図７や図１６における左右方向）で対向位置せしめられる一対の対向壁部７０，７０に対して摺動せしめられるようになっている。
【００５８】
そこにおいて、本実施形態では、一対の対向壁部７０，７０の対向面間距離が、上側収容部４０の上側開口から底壁へと行くに従って次第に短くなるようにされている。これにより、スプリングピン６０に固定された組付ピン６４における板状片６６の長手方向両端は、上側収容部４０の底壁側に行くに従って次第に上側収容部４０の上側開口側への反りが大きくなるようになっている。
【００５９】
そして、板状片６６が上側収容部４０の底壁に到達すると、板状片６６の長手方向両端部のそれぞれが、上側収容部４０の上側開口側に反った状態から元の状態に戻ると共に、各対向壁部７０の底壁付近に形成された開口穴７２に入り込むようになっている。その結果、板状片６６の長手方向両端部のそれぞれが、各対向壁部７０に形成された開口穴７２の内周面７４（特に、スプリングピン６０の嵌め入れ方向とは反対側に位置する上側開口側の面）に係止されることにより、組付ピン６４の上側収容部４０の上側開口側への変位、延いては、スプリングピン６０の軸方向上方への変位（抜け方向への変位）が阻止されることとなる。
【００６０】
なお、本実施形態では、図１６に示された状態、即ち、スプリングピン６０が蓋側筒部３８に嵌め入れられて、板状片６６の上面が蓋側筒部３８の上端面と同じ高さに位置せしめられた状態で、図１８に示されているように、板状片６６における幅方向両端と上側収容部４０との間に隙間が形成されている。
【００６１】
特に、本実施形態では、図面上では必ずしも明らかではないが、板状片６６の上面が蓋側筒部３８（上側収容部４０）の上端面と同じ高さに位置せしめられた状態から板状片６６の長手方向両端のそれぞれが開口穴７２，７２に入り込むまでの間において、板状片６６における幅方向両端と上側収容部４０との間には、それぞれ、隙間が形成されるようになっている。これにより、スプリングピン６０が蓋側筒部３８と本体側筒部２８とに跨って挿入された状態に至るまでの間において、板状片６６の長手方向両端のみが上側収容部４０の上側開口側に反るようになっている。その結果、スプリングピン６０が蓋側筒部３８に嵌め入れられた状態からスプリングピン６０が蓋側筒部３８と本体側筒部２８とに跨って挿入された状態に至るまでの抵抗を小さくすることが可能となる。
【００６２】
このような構造とされた遊技機用基板ケース１０においては、ケース本体１２に対して蓋部材１４が組み付けられた状態で、ケース本体１２に対する蓋部材１４のスライド変位方向に交差する方向に延びる中心軸線上に位置せしめられた蓋側筒部３８と本体側筒部２８とに跨って挿入されるスプリングピン６０が、蓋側筒部３８における下側収容部４２に嵌められて固定されていることから、ケース本体１２に対する蓋部材１４の開蓋方向へのスライド変位がスプリングピン６０によって阻止されることとなり、その結果、遊技機用基板ケース１０の封止状態が実現されるようになっている。
【００６３】
そこにおいて、スプリングピン６０は、周方向の一部において軸方向の全長に亘って切り込み６２が形成された筒形状とされており、軸直角方向にばね作用を生ぜしめるようになっていることから、スプリングピン６０において蓋側筒部３８の下側収容部４２に嵌められている部分に及ぼされる、スプリングピン６０を締める力の反力が、下側収容部４２に及ぼされることとなる。これにより、スプリングピン６０の外周面と下側収容部４２の内周面との間に発生する摩擦力を有利に確保することが可能となる。その結果、蓋側筒部３８における下側収容部４２に成形時の寸法誤差があったり、遊技機用基板ケース１０の周辺温度の変化があった場合でも、スプリングピン６０の軸方向への変位が有利に阻止されることとなり、スプリングピン６０が蓋側筒部３８における下側収容部４２に嵌められた状態の安定化を図ることが可能となる。
【００６４】
従って、遊技機用基板ケース１０の安定した封止状態を有利に実現することが可能となる。
【００６５】
また、本実施形態では、本体側筒部２８が有底円筒形状とされていることから、本体側筒部２８の底壁に穴を開ける等しない限り、スプリングピン６０が本体側筒部２８の側から引きぬけないようになっており、しかも、スプリングピン６０と蓋側筒部３８における下側収容部４２との間において、スプリングピン６０の引き抜き方向に対して逆らう方向に摩擦力が働くようになっていることから、スプリングピン６０の引き抜きを有利に阻止することが可能となり、その結果、遊技機用基板ケース１０の封止状態の更なる安定化を図ることが可能となる。
【００６６】
加えて、本実施形態では、スプリングピン６０が下側収容部４２と本体側筒部２８とに跨って挿入された状態で、スプリングピン６０に固定された組付ピン６４における板状片６６の長手方向両端が、上側収容部４０における一対の対向壁部７０，７０の底壁側に形成された開口穴７２，７２に嵌め込まれるようになっていることから、板状片６６の長手方向の各端部が開口穴７２の内周面７４に対して係止されるようにすることが可能となる。これにより、例えば、本体側筒部２８の底壁に穴を開ける等して、スプリングピン６０を挿入方向とは反対のの方向に押し戻そうとしても、板状片６６の長手方向の各端部が開口穴７２の内周面７４に対して係止されることにより、スプリングピン６０の挿入方向とは反対側の方向への変位を阻止することが可能となる。その結果、遊技機用基板ケース１０の安定した封止状態を一層有利に実現することが出来る。
【００６７】
また、本実施形態では、スプリングピン６０に固定された組付ピン６４における板状片６６をスプリングピン６０の軸方向上方から見た場合に、板状片６６がスプリングピン６０を覆い隠すようになっていることから、スプリングピン６０を挿入する際に力を加えることが出来る面積を有利に確保することが可能となり、その結果、スプリングピン６０の挿入作業の作業効率を向上させることが可能となる。
【００６８】
さらに、本実施形態では、挿入軸６８が板状片６６の中央部分に突出形成されていることから、スプリングピン６０が蓋側筒部３８と本体側筒部２８とに跨って挿入されるまでの過程における板状片６６の長手方向両端の反りを有利に実現することが可能となる。
【００６９】
また、本実施形態では、スプリングピン６０は下側収容部４２（蓋側筒部３８）のみに対して嵌められて固定されるようになっていることから、蓋側筒部３８を蓋部材１４の周壁３７に連結している取付片４４，４４をニッパー等で切断することにより、蓋側筒部３８を蓋部材１４から分離するだけで、スプリングピン６０を本体側筒部２８から容易に抜き取ることが可能となる。その結果、遊技機用基板ケース１０を開封した痕跡を残しつつ、遊技機用基板ケース１０の開蓋作業を速やかに行うことが可能となる。
【００７０】
以上、本発明の一実施形態について詳述してきたが、これはあくまでも例示であって、本発明は、かかる実施形態における具体的な記載によって、何等、限定的に解釈されるものではない。
【００７１】
例えば、前記実施形態における組付ピン６４は、必ずしも必要なものではない。また、前記実施形態におけるスプリングピン６０の軸方向端部外側の角部に対する角取りは、必ずしも必要なものではない。
【００７２】
また、スプリングピンにおける周方向で分断されている部分は、前記実施形態のように、蛇行している必要はなく、真っ直ぐ延びていても良い。更に、スプリングピンは、板材を一周以上に巻いた構造であっても良い。
【００７３】
更にまた、周方向で分断された筒状のスプリングピンに対して、スプリングピンの形成材料よりも硬度が低い材料で形成された挿入部材を挿入固定しても良い。これにより、スプリングピンにおいて周方向で分断されている部分の離隔距離を有利に確保することが可能となり、その結果、スプリングピンの軸直角方向へのばね作用を有利に得ることが可能となる。なお、挿入部材の形成材料としては、例えば、硬質ゴムやシリコーン，セラミックス，ウレタン等が採用される。
【００７４】
また、スプリングピン６０は、本体側筒部２８に対して嵌められて固定されるようになっていても良いし、本体側筒部２８と蓋側筒部３８の両方に対して嵌められて固定されるようになっていても良い。
【００７５】
さらに、制御基板１６は、蓋部材１４に対してネジ止めされる必要はなく、制御基板１６の適当な位置に形成された穴に対して蓋部材１４に設けられた突起を挿し込むことにより、蓋部材１４に対して位置決めされているだけであっても良い。
【００７６】
なお、前記実施形態において、下側収容部４２の内径寸法が軸方向上端から軸方向下端に行くに従って次第に小さくされていても良い。これにより、スプリングピン６０の挿入作業を有利に実現することが可能となる。
【００７７】
また、板状片の板面に直交する方向から見た形状は、円形や楕円形，多角形等が何れも採用され得る。
【００７８】
更にまた、スプリングピンは、本体側筒部の側から挿入されるようになっていても良い。
【００７９】
また、前記実施形態では、ケース本体１２に対して蓋部材１４をスライド変位させることによって、ケース本体１２に対して蓋部材１４を組み付ける構造の遊技機用基板ケース１０に本発明を適用したものの一具体例について説明したが、本発明は、例えば、図１９に示されているように、ケース本体１２の幅方向乃至は長手方向の一端に設けられた回動中心軸７６回りに回動可能な状態で蓋部材１４が取り付けられており、ケース本体１２の開口部が蓋部材１４で覆蓋された状態で、本体側筒部２８と蓋側筒部３８が同一中心軸線上に位置せしめられる構造の遊技機用基板ケース７８に対しても勿論適用可能である。なお、この場合、スプリングピン６０は、本体側筒部２８に嵌め入れられるか、若しくは、本体側筒部２８と蓋側筒部３８との両方に嵌め入れられることが望ましい。更にまた、図２０に示されているように、ケース本体１２に対して蓋部材１４をスライド変位させることによって、ケース本体１２に対して蓋部材１４が組み付けられる構造であって、ケース本体１２に対して蓋部材１４が組み付けられた状態下において、ケース本体１２に対する蓋部材１４のスライド方向で、本体側筒部２８と蓋側筒部３８が同一中心軸線上に位置せしめられる構造の遊技機用基板ケース８０に対しても、勿論適用可能である。そして、この場合には、スプリングピン６０は、本体側筒部２８と蓋側筒部３８の両方に嵌め入れられることが望ましい。なお、理解を容易にするために、図１９及び図２０においては、前記実施形態と同様な構造とされた部材及び部位については、図中に、同一の符号を付してある。また、図１９及び図２０においては、スプリングピン６０等の図示は省略してある。
【００８０】
その他、一々列挙はしないが、本発明は、当業者の知識に基づいて、種々なる変更，修正，改良等を加えた態様において実施され得るものであり、また、そのような実施態様が本発明の趣旨を逸脱しない限り、何れも、本発明の範囲内に含まれるものであることは、言うまでもない。
【図面の簡単な説明】
【００８１】
【図１】本発明の一実施形態としての遊技機用基板ケースの平面図。
【図２】同遊技機用基板ケースを構成するケース本体の平面図。
【図３】図２におけるＩＩＩ−ＩＩＩ方向の断面図。
【図４】図２におけるＩＶ−ＩＶ方向の断面図。
【図５】図１の遊技機用基板ケースを構成する蓋部材の平面図。
【図６】図５におけるＶＩ−ＶＩ方向の断面図。
【図７】図５におけるＶＩＩ−ＶＩＩ方向の断面図。
【図８】ケース本体に対して蓋部材をスライドさせる前の状態を説明するための断面図。
【図９】ケース本体に対して蓋部材をスライドさせた状態を説明するための断面図。
【図１０】図１におけるＸ−Ｘ方向に相当する断面図であって、本体側筒部と蓋側筒部の位置関係を説明するための要部拡大断面図。
【図１１】図１の遊技機用基板ケースに採用されているスプリングピンの平面図。
【図１２】図１１に示されたスプリングピンの上面図。
【図１３】図１１に示されたスプリングピンに固定される組付ピンの正面図。
【図１４】図１３に示された組付ピンの右側面図。
【図１５】図１１のスプリングピンに組付ピンが固定された状態を示す正面図。
【図１６】図１５のスプリングピンが下側収容部に挿し込まれた状態を示す断面図。
【図１７】図１５のスプリングピンが下側収容部と本体側筒部に挿し込まれた状態を示す断面図。
【図１８】図１６に示されたスプリングピンの下側収容部への挿し込み状態を上方から見た図面。
【図１９】本発明の別の実施形態の概略を説明するための断面図。
【図２０】本発明の更に別の実施形態の概略を説明するための側面図。
【符号の説明】
【００８２】
１０：遊技機用基板ケース，１２：ケース本体，１４：蓋部材，１６：制御基板，２８：本体側筒部，３８：蓋側筒部，６０：スプリングピン
【図１】
2007268062.tif 000003
【図２】
2007268062.tif 000004
【図３】
2007268062.tif 000005
【図４】
2007268062.tif 000006
【図５】
2007268062.tif 000007
【図６】
2007268062.tif 000008
【図７】
2007268062.tif 000009
【図８】
2007268062.tif 000010
【図９】
2007268062.tif 000011
【図１０】
2007268062.tif 000012
【図１１】
2007268062.tif 000013
【図１２】
2007268062.tif 000014
【図１３】
2007268062.tif 000015
【図１４】
2007268062.tif 000016
【図１５】
2007268062.tif 000017
【図１６】
2007268062.tif 000018
【図１７】
2007268062.tif 000019
【図１８】
2007268062.tif 000020
【図１９】
2007268062.tif 000021
【図２０】
2007268062.tif 000022